(57)【特許請求の範囲】
【請求項１】
ボタンベースと、このボタンベースに対して進出位置と退入位置とに亙って進退自在に支持されたボタン本体と、このボタン本体を前記進出位置へ付勢するボタン付勢部材と、前記ボタン本体の進出位置から退入位置への押下操作を検出するボタン操作検出手段とを備えた遊技機において、
前記ボタンベースを、ボタン本体の通常の前記押下操作を可能にするベース進出位置と前記通常の押下操作を不可能にするベース退入位置とに亙って進退させる電動モータを有する進退駆動機構を備え、
前記ボタン操作検出手段は、ボタン本体に設けられた被検出部を検出可能に、ボタンベースを進退自在に支持する静止側部材に取付けられ、
前記ボタンベースが前記ベース進出位置にあるときに、前記押下操作によりボタン本体からボタンベースに前記ベース退入位置の方へ向く力が入力された場合でも、ボタンベースを前記ベース進出位置に保持可能に、
前記ボタンベースが進出位置または退入位置であることを前記ボタン操作検出手段により検出可能に構成されたことを特徴とする遊技機。
【請求項２】
前記進退駆動機構は、前記電動モータにより回転駆動されるピニオンと、このピニオンが噛合するようにボタンベースに設けられたラックとを有することを特徴とする請求項１に記載の遊技機。
【請求項３】
前記ボタンベースを前記ベース進出位置に保持可能なベース保持部材を前記進退駆動機構とは別に備えたことを特徴とする請求項１又は２に記載の遊技機。
【請求項４】
前記ベース保持部材は、ボタンベースに設けられた被係合部に係合してボタンベースを前記ベース進出位置に係止するストッパ部材からなり、
前記ベース保持部材は、ボタンベースが前記ベース進出位置のときに前記被係合部に係合し且つ前記ベース進出位置以外の位置のときに前記被係合部から係合解除するように前記電動モータにより駆動されることを特徴とする請求項３に記載の遊技機。
【発明の詳細な説明】
【技術分野】
【０００１】
本発明は遊技機に関し、特に、ボタンベースを進退させることで、このボタンベースに対して進退自在に支持されたボタン本体を通常に押下操作できる状態と通常に押下操作できない状態とに切換え可能な装置に関する。
【背景技術】
【０００２】
近年主流のパチンコ遊技機では、遊技球が始動口に入賞したことを条件に大当り抽選が行われ、この大当り抽選で当選した場合に、大入賞口が複数ラウンドに亙って開閉する大当り遊技が発生し、そこで、遊技者は相当数の遊技球を獲得することができる。また、大当り抽選を演出してその抽選結果を報知する遊技演出が画像表示器、スピーカ、各種ランプ等を用いて実行され、遊技者はこの遊技演出によって遊技を楽しむことができる。
【０００３】
この種のパチンコ遊技機の多くは、遊技者が操作可能な演出ボタンを備え、例えば、大当り抽選を演出する特定遊技演出の実行中、抽選結果を報知する前の所定期間に演出ボタンが押下操作されると、それを契機に特定遊技演出の一部が他の演出（例えば、カットイン演出）に切換えられ、その演出によって大当り抽選の当選期待度が報知される。
【０００４】
一般に、パチンコ遊技機に装備される演出ボタン装置においては、パチンコ遊技機の貯留皿にボタンベースが固定的に取付けられ、このボタンベースに演出ボタン（ボタン本体）が進出位置と退入位置とに亙って進退自在に支持されている。演出ボタンはバネ部材により進出位置へ付勢され、この演出ボタンの進出位置から退入位置への押下操作を検出するボタン操作検出センサがボタンベースに取付けられている。
【０００５】
ここで、特許文献１には、演出ボタンを、通常に操作可能な通常状態と、退入位置の近傍で進出方向へ移動不能にロックする退入ロック状態とに択一的に切換える技術（特許文献１の図５、図６参照）が開示され、また、演出ボタンを、前記通常状態及び退入ロック状態と、更に進出位置で退入方向へ移動不能にロックする進出ロック状態とに択一的に切換える技術（特許文献１の図７参照）が開示されている。
【０００６】
特許文献２の演出ボタン装置においては、ボタン本体がボタンベースに対して進出位置と退入位置とに亙って進退自在に支持され、ＳＯＬ（ソレノイドアクチュエータ）によりボタンベースがベース進出位置とベース退入位置とに亙って進退される。ＳＯＬが非励磁状態のとき、ボタンベースはＳＯＬに組込まれたバネによりベース退入位置に保持され、そこで、ボタン本体の押下操作が不可能になる。ＳＯＬが非励磁状態から励磁状態に切換えられると、ボタンベースはＳＯＬによりベース進出位置に駆動され、そこで保持されてボタン本体の押下操作が可能になる。ＳＯＬが励磁状態から非励磁状態に切換えられると、ボタンベースはＳＯＬに組込まれたバネによりベース退入位置に駆動される。
【０００７】
ボタン本体は筒状のボタンベースに摺動自在に内嵌され、ボタンベースは筒状の静止側部材に摺動自在に内嵌されている。静止側部材に設けられた係止部材（ビス）が、ボタンベースの進退移動を妨げないように、ボタンベースに形成されたスリットを挿通してボタンベースの内側へ突出し、ボタンベースがベース退入位置のとき、進出位置のボタン本体が係止部材に当接して、ボタン本体の押下操作が不可能になる。ボタンベースがベース進出位置のときには、ボタン本体が押下操作されると係止部材に当接して退入位置になる。ボタンベースにボタン操作検出センサが取付けられ、このボタン操作検出センサにより、ボタン本体に設けられた被検出部が検出されて、ボタン本体の押下操作が検出される。
【先行技術文献】
【特許文献】
【０００８】
【特許文献１】特開２００９−５６０８５号公報
【特許文献２】特許第３９８９２８７号公報
【発明の概要】
【発明が解決しようとする課題】
【０００９】
演出ボタン（ボタン本体）の操作は遊技者の意思に基づいて行われるものであり、遊技者によって、また、演出ボタンの操作毎に、演出ボタンの操作速度や操作タイミング等が相当異なり、故に、特許文献１のように、その演出ボタンを直接、進出位置や退入位置（特に退入位置）で簡単に確実にロックすることは難しい。
【００１０】
特許文献２の演出ボタン装置では、ボタンベースを進退させることで、このボタンベースに対して進退自在に支持されたボタン本体を通常に押下操作できる状態と通常に押下操作できない状態とに切換え可能である。しかし、ボタンベースはＳＯＬによりベース進出位置に駆動され保持されるため、そこで、ボタン本体の押下操作によりボタン本体からボタンベースにベース退入位置の方へ向く力が入力された場合に、ボタンベースがベース進出位置からベース退入位置の方へ移動する虞がある。
【００１１】
ボタンベースをベース進出位置に保持するためには、ＳＯＬを励磁し続ける必要がある。依って、ボタンベースをベース進出位置に保持する（即ち、ＳＯＬを励磁し続ける）時間が比較的長くなると、ＳＯＬが過熱され正常に機能しなくなり、ボタン本体の押下操作によりボタンベースがベース進出位置からベース退入位置の方へ移動し易くなる。つまり、ボタンベースをベース進出位置に長時間保持して、ボタン本体を従来通り正常に機能させる構成にするのに適していない。
【００１２】
また、ボタン本体は静止側部材に設けられた係止部材に当接すると、それ以上は退入移動できないため、ボタンベースがベース進出位置にあるとき、ボタン本体の押下操作によりボタンベースがベース退入位置の方へ移動した場合、このボタンベースに取付けられたボタン操作検出センサもベース退入位置の方へ移動するため、そのボタン操作検出センサでは、ボタン本体に設けられた被検出部が検出されない、つまりボタン本体の押下操作が検出されないという重大な問題が発生する。
【００１３】
本発明の目的は、ボタンベースを進退させることで、このボタンベースに対して進退自在に支持されたボタン本体を通常に押下操作できる状態と通常に押下操作できない状態とに切換え可能にし、ボタンベースがベース進出位置にあるときに、ボタン本体が押下操作されてもボタンベースをベース進出位置に確実に保持し、ボタン本体の安定した押下操作、及びその押下操作の確実な検出を実現する遊技機を提供することである。
【課題を解決するための手段】
【００１４】
請求項１の発明（遊技機）は、ボタンベース(40)と、このボタンベース(40)に対して進出位置と退入位置とに亙って進退自在に支持されたボタン本体(41)と、このボタン本体(41)を前記進出位置へ付勢するボタン付勢部材(42)と、前記ボタン本体(41)の進出位置から退入位置への押下操作を検出するボタン操作検出手段(43)とを備えた遊技機(1) において、前記ボタンベース(40)を、ボタン本体(41)の通常の前記押下操作を可能にするベース進出位置と前記通常の押下操作を不可能にするベース退入位置とに亙って進退させる電動モータ(60)を有する進退駆動機構(44)を備え、前記ボタン操作検出手段(43)は、ボタン本体(41)に設けられた被検出部(53a)を検出可能に、ボタンベース(40)を進退自在に支持する静止側部材(10)に取付けられ、前記ボタンベース(40)が前記ベース進出位置にあるときに、前記押下操作によりボタン本体(41)からボタンベース(40)に前記ベース退入位置の方へ向く力が入力された場合でも、ボタンベース(40)を前記ベース進出位置に保持可能に、前記ボタンベース(10)が進出位置または退入位置であることを前記ボタン操作検出手段(43)により検出可能に構成されたことを特徴としている。
【００１５】
請求項２の発明は、請求項１において、前記進退駆動機構(44)は、前記電動モータ(60)により回転駆動されるピニオン(61)と、このピニオン(61)が噛合するようにボタンベース(40)に設けられたラック(62)とを有することを特徴としている。
【００１６】
請求項３の発明は、請求項１又は２において、前記ボタンベース(40)を前記ベース進出位置に保持可能なベース保持部材(90/95) を前記進退駆動機構(44)とは別に備えたことを特徴としている。
【００１７】
請求項４の発明は、請求項３において、前記ベース保持部材(90)は、ボタンベース(40)に設けられた被係合部(91)に係合してボタンベース(40)を前記ベース進出位置に係止するストッパ部材(90)からなり、前記ベース保持部材(90)は、ボタンベース(40)が前記ベース進出位置のときに前記被係合部(91)に係合し且つ前記ベース進出位置以外の位置のときに前記被係合部(91)から係合解除するように前記電動モータ(60)により駆動されることを特徴としている。
【００１９】
その他、次のように構成してもよい。前記ベース保持部材(90)（ストッパ部材(90)）は、ボタンベース(40)の進退方向と直交するカム軸(90a) を介して前記電動モータ(60)により回動駆動されるカムストッパ(90)からなる。前記ベース保持部材(95)は、ボタンベース(40)を前記ベース進出位置へ付勢し且つ前記ボタン付勢部材(42)の付勢力よりも大きい付勢力を有するベース付勢部材(95)からなる。
【００２０】
前記ボタンベース(40)が前記ベース退入位置にあるときに、ボタン本体(41)が前記静止側部材(10)に係合して前記押下操作が不可能になる。前記ボタンベース(40)が前記ベース退入位置にあるときに、ボタンベース(40)が前記静止側部材(10)に係合して退入移動不可能になる。前記ボタンベース(40)が前記ベース進出位置にある状態で、特定の遊技演出実行中のボタン操作有効期間にボタン本体(41)が押下操作された時に、進退駆動機構(44)によりボタンベース(40)を前記ベース退入位置に移動させて一定期間保持する。
【発明の効果】
【００２１】
本発明（遊技機）によれば、ボタンベースを進退させること、およびボタンベースを進退自在に支持する静止側部材にボタン操作検出手段を設けることで、このボタンベースに対して進退自在に支持されたボタン本体を通常に押下操作できる状態と通常に押下操作できない状態とに切換え可能にし、ボタンベースがベース進出位置にあるときに、ボタン本体が押下操作されてもボタンベースをベース進出位置に確実に保持し、ボタン本体の安定した押下操作、及びその押下操作の確実な検出を実現することができ、ボタンベースが進出位置か退入位置かをボタン操作検出手段により検出することができる。
【図面の簡単な説明】
【００２２】
【図１】実施例１のパチンコ遊技機の斜視図である。
【図２】パチンコ遊技機の演出ボタン装置を含む要部の斜視図である。
【図３】演出ボタン装置の正面図である。
【図４】演出ボタン装置の左側面図である。
【図５】演出ボタン装置の分解斜視図である。
【図６】演出ボタン装置のボタンベースがベース進出位置にありボタン本体が進出位置にあるときの切欠き斜視図である。
【図７】図６のVII −VII 線断面図である。
【図８】図６のVIII−VIII線断面図である。
【図９】演出ボタン装置のボタンベースがベース進出位置にありボタン本体が退入位置にあるときの図７相当図である。
【図１０】演出ボタン装置のボタンベースがベース退入位置にありボタン本体が進出位置にあるときの切欠き斜視図である。
【図１１】図１０のXI−XI線断面図である。
【図１２】図１０のXII −XII 線断面図である。
【図１３】パチンコ遊技機の遊技盤の正面図である。
【図１４】パチンコ遊技機の制御系のブロック図である。
【図１５】実施例２の図７相当図である。
【図１６】実施例２の図１１相当図である。
【図１７】実施例３の図７相当図である。
【発明を実施するための形態】
【００２３】
以下、発明を実施するための形態について実施列に基づいて説明する。
【実施例１】
【００２４】
図１に示すように、パチンコ遊技機１には、遊技ホールの島構造体に取付けられる外枠（図示略）に開閉枠２が開閉自在に装着され、開閉枠２に開閉扉３が開閉自在に装着されている。開閉扉３に窓３ａが形成され、その窓３ａに透明板３ｂが装着されている。開閉枠２の左端部に開閉扉３の左端部が鉛直軸心回りに回動自在に支持され、開閉扉３の右端部には、開閉扉３を閉じた状態で施錠するキーシリンダ３ｃが装着されている。開閉枠２に遊技盤７０（図１３参照）が装着され、遊技盤７０とその前側の透明板３ｂとの間に遊技球が転動する遊技領域７０ａ（図１３参照）が形成され、この遊技領域７０ａが開閉扉３により開閉される。
【００２５】
図１、図２に示すように、開閉扉３には、窓３ａの下側に貯留皿４が設けられ、その貯留皿４の右部に本案特有の演出ボタン装置５が装着されている。開閉扉３には、貯留皿４の右下側に発射ハンドル６が装着され、その発射ハンドル６が回動操作されると、貯留皿４から発射位置（図示略）に導入された遊技球が発射され、貯留皿４に複数の遊技球が存在する場合には、複数の遊技球が約０．６秒間隔で連続発射される。発射された遊技球はガイドレール７０ｂ（図１３参照）で案内され遊技領域７０ａの上部に導入される。
【００２６】
演出ボタン装置５について説明する。
図１〜図１２に示すように、演出ボタン装置５は、貯留皿４に埋設状に固定された静止側部材である装置ケース１０と、装置ケース１０に装着された十字ボタンユニット１１及び演出ボタンユニット１２とを備えている。十字ボタンユニット１１の左側に演出ボタンユニット１２が配置され、十字ボタンユニット１１の十字ボタン３０〜３３及びエンターボタン３４と演出ボタンユニット１２の演出ボタン４１（ボタン本体４１）は、貯留皿４の上面側から押下操作可能に配設されている。
【００２７】
装置ケース１０は、その下端に位置する第１ケース１５と、第１ケース１５に上側から固定された第２ケース１６と、第１，第２ケース１５，１６の間に挟持状に固定されたスイッチ取付板１７と、第２ケース１６に上側から内嵌状に固定されたケースカバー１８とを有する。第２ケース１６とスッチ取付板１７の左部には、演出ボタンユニット１２のボタンベース４０及びボタン本体４１が挿通する穴１６ａ，１７ａが形成されている。
【００２８】
ケースカバー１８は、内カバー２０と外カバー２１とからなり、貯留皿４の上板４ａに形成された穴４ｂ内から上方外部に臨み、その上板４ａの上面とケースカバー１８（外カバー２１）の上面は略同一高さに位置している。ケースカバー１８（カバー２０，２１）にはボタン穴１８ａ，１８ｂが形成され、十字ボタン３０〜３３及びエンターボタン３４と演出ボタン４１は夫々ボタン穴１８ｃ，１８ｄから上方外部に臨んでいる。
【００２９】
十字ボタンユニット１１において、第２ケース１６の右部に十字ボタン３０〜３３及びエンターボタン３４が支持され、スイッチ取付板１７の右部上面に、ボタン３０〜３４が夫々押下操作されるとＯＮされる十字ＳＷ３０ａ〜３３ａ及びエンターＳＷ３４ａ（尚、「ＳＷ」はスイッチを意味する）が取付けられている。
【００３０】
演出ボタンユニット１２は、装置ケース１０に対して上下方向へ進退自在に支持されたボタンベース４０と、このボタンベース４０に対して進出位置（図６〜図８、図１０〜図１２参照）と退入位置（図９参照）とに亙って上下方向へ進退自在に支持されたボタン本体４１と、このボタン本体４１を進出位置（上方）へ付勢するコイルバネからなるボタン付勢部材４２と、ボタン本体４１の進出位置から退入位置への押下操作を検出するボタン操作検出センサ４３（ボタン操作検出手段）とを備えている。
【００３１】
また、演出ボタンユニット１２は、ボタンベース４０を、ボタン本体４１の通常の押下操作を可能にするベース進出位置（図６〜図９参照）と通常の押下操作を不可能にするベース退入位置（図１０〜図１２参照）とに亙って上下方向へ進退させる電動モータ６０（ステッピングモータ６０）を有する進退駆動機構４４を備え、ボタンベース４０がベース進出位置にあるときに、ボタン本体４１の押下操作によりボタン本体４１からボタンベース４０にベース退入位置の方（下方）へ向く力が入力された場合でも、ボタンベース４０をベース進出位置に保持可能に構成されている。
【００３２】
ボタンベース４０は、略環状のバネ受部４０ａと、バネ受部４０ａの内周部から上方へ延びる内筒部４０ｂと、バネ受部４０ａの外周部から上方へ延びる外筒部４０ｃとを有する。ボタンベース４０には、バネ受部４０ａに左右１対の脚部挿通穴４０ｄが形成され、内筒部４０ｂの下端部に１対の脚部挿通穴４０ｄに夫々臨む左右１対の係止部４０ｅが形成され、また、１対の脚部挿通穴４０ｄを上端側に有する１対のガイドスリット４０ｅ、外周部右部に外筒部４０ｃを切欠いて形成されたガイド凹部４０ｆが設けられている。このボタンベース４０には、バネ受け部４０ａの左部に下方へ延びる進退駆動機構４４のラック６２が設けられている。
【００３３】
ボタン本体４１は、ボタン基部材５０、ボタン基部材５０の上端部に固定されたキャップ状の操作内側部材５１及び操作外側部材５２を有する。ボタン基部材５０は、環状のバネ受け部５０ａと、バネ受け部５０ａから上方へ延びる上部筒部５０ｂと、バネ受け部５０ａの外周部から下方へ延び且つ上部筒部５０ｂよりも大径の下部筒部５０ｃとを有する。上部筒部５０ｂに操作内側部材５１の外周部が外嵌状に固定され、操作内側部材５１に操作外側部材５２が外嵌状に固定されている。
【００３４】
ボタン基部材５０には、バネ受け部５０ａの内端部に下方へ延びる左右１対の脚部５０ｄが形成され、これら脚部５０ｄの下端部に左右１対の爪部５０ｅが形成されている。１対の脚部５０ｄがボタンベース４０の１対の脚部挿通穴４０ｄを挿通し且つ１対のガイドスリット４０ｅに係合して上下方向へ案内され、１対の爪部５０ｅがボタンベース４０の１対の係止部４０ｅの下方に位置している。
【００３５】
また、ボタン基部材５０には、下部筒部５０ｃから右方へ突出し且つ下方へ延びる延設部５０ｆが設けられている。延設部５０ｆの下端部はボタンベース４０の径方向外側に位置し、この延設部５０ｆの下端部に、被検出部５３ａが形成された被検出部材５３が取付けられている。延設部５０ｆと被検出部材５３は、ボタンベース４０のガイド凹部４０ｆに係合して上下方向へ案内される。
【００３６】
ボタン付勢部材４２は、ボタンベース４０とボタン本体４１の両バネ受け部４０ａ，５０ａの間に圧縮状態で装着されている。ボタン付勢部材４２の付勢力により、ボタン本体４１が操作されない状態で、１対の爪部５０ｅが１対の係止部４０ｅに下側から係合して、ボタン本体４１が進出位置に保持され、これ以上進出しないように抜け止めされる。
【００３７】
ボタン操作検出センサ４３は、発光部と受光部とを前後に間隔を開けて配置した光学センサ（フォトインタラプタ）からなり、ボタン本体４１の被検出部５３ａを検出可能にスイッチ取付板１７の中央部下面に取付けられている。ボタン操作検出センサ４３は、ボタン本体４１の押下操作を、発光部と受光部との間が被検出部５３ａで遮られＯＦＦになっている状態から、発光部と受光部との間から被検出部５３ａが下方へ退いてＯＮになったことにより検出する。
【００３８】
進退駆動機構４４は、電動モータ６０により回転駆動されるピニオン６１と、このピニオン６１が噛合するようにボタンベース４０に設けられたラック６２とを有する。前記のように、ラック６２は、ボタンベース４０のバネ受け部４０ａの左部に下方へ延びるように設けられ、その右端部に複数（例えば、４個程度）の歯が上下方向に連続的に形成されている。電動モータ６０は、装置ケース１０の第１ケース１５の前部左部に後向きに取付けられ、その出力軸６０ａにピニオン６１が直結されている。この進退駆動機構４４（電動モータ６０）は制御装置８０（図１４参照）により制御される。
【００３９】
ところで、図１３、図１４に示すように、遊技盤７０には遊技領域７０ａに配置された多数の障害釘（図示略）の他、第１始動口７１、開閉式の第２始動口７２ａを有する始動口装置７２、ゲート７３、開閉式の大入賞口７４ａを有する大入賞口装置７４、複数の一般入賞口７５が設けられている。第１始動口７１、ゲート７３、複数の一般入賞口７５には、夫々、そこに入賞した遊技球を検出する第１始動口ＳＷ７１ａ、ゲートＳＷ７３ａ、複数の一般入賞口ＳＷ７５ａが付設されている。
【００４０】
始動口装置７２は、第２始動口７２ａ、第２始動口７２ａを開閉する開閉部材７２ｂ、第２始動口７２ａに入賞した遊技球を検出する第２始動口ＳＷ７２ｃ、開閉部材７２ｂを開閉駆動する第２始動口ＳＯＬ７２ｄ（「ＳＯＬ」はソレノイドアクチュエータを意味する）を有する。大入賞口装置７４は、大入賞口７４ａ、大入賞口７４ａを開閉する開閉部材７４ｂ、大入賞口７４ａに入賞した遊技球を検出する大入賞口ＳＷ７４ｃ、開閉部材７４ｂを開閉駆動する大入賞口ＳＯＬ７４ｄを有する。
【００４１】
遊技球が入賞口７１，７２ａ，７４ａ，７５に入賞した場合、遊技球１個の入賞について入賞口７１，７２ａ，７４ａ，７５毎に設定された数の遊技球が払出される。遊技球が始動口７１，７２ａに入賞した場合には大当り抽選が行われ、その大当り抽選で当選した場合、通常は閉塞の大入賞口７４ａが複数ラウンドに亙って開閉する大当り遊技が発生する。遊技球がゲート７３を通過した場合には当り抽選が行われ、その当り抽選で当選した場合、通常は閉塞の第２始動口７２ａが１又は複数回開閉する補助遊技が発生する。
【００４２】
遊技盤７０にはその中央部分に大型の液晶ディスプレイからなる画像表示器７６が装着され、その画像表示器７６には、大当り抽選を演出してその抽選結果を報知する遊技演出が表示され、また、大当り遊技中には大当り遊技演出が表示される。遊技盤７０の右下部に各種表示を行う遊技表示盤７７が設けられ、この遊技表示盤７７は、第１特図表示器７７ａ、第２特図表示器７７ｂ、普図表示器７７ｃ、第１特図保留ランプ７７ｄ、第２特図保留ランプ７７ｅ、普図保留ランプ７７ｆを備えている。
【００４３】
第１特図表示器７７ａには第１特別図柄が変動可能に表示され、第１特図保留ランプ７７ｄには第１特図保留数が表示され、その第１特図保留数は４未満の場合に第１始動口７１に遊技球が入賞する毎に１加算される。第２特図表示器７７ｂには第２特別図柄が変動可能に表示され、第２特図保留ランプ７７ｅには第２特図保留数が表示され、その第２特図保留数は４未満の場合に第２始動口７２ａに遊技球が入賞する毎に１加算される。
【００４４】
第１，第２特別図柄が変動停止状態で、第１特図保留数が１以上の場合、第２特図保留数が０の場合には、第１特図保留数が１減算されて第１特別図柄が変動開始され、その後の停止図柄で大当り抽選の結果が表示される。第１，第２特別図柄が変動停止状態で、第２特図保留数が１以上の場合、第２特図保留数が１減算されて第２特別図柄が変動開始され、その後の停止図柄で大当り抽選の結果が表示される。
【００４５】
普図表示器７７ｃには普通図柄が変動可能に表示され、普図保留ランプ７７ｆには普図保留数が表示され、その普図保留数は４未満の場合にゲート７３に遊技球が入賞する毎に１加算される。普通図柄が変動停止状態で、普図保留数が１以上の場合、普図保留数が１減算されて普通図柄が変動開始され、その後の停止図柄で当り抽選の結果が表示される。
【００４６】
図１４に示すように、制御装置８０は、遊技制御基板８１、払出制御基板８２、演出制御基板８３、画像制御基板８４、ランプ制御基板８５を備え、これら制御基板８１〜８５に夫々ＣＰＵとＲＯＭとＲＡＭを含むコンピュータを備えて構成され、演出制御基板８３は更にＲＴＣ（「ＲＴＣ」はリアルタイムクロックを意味する）を備えている。
【００４７】
遊技制御基板８１のコンピュータは、第１，第２始動口ＳＷ７１ａ，７２ｃ、ゲートＳＷ７３ａ、大入賞口ＳＷ７４ｃ、一般入賞口ＳＷ７５ａからの信号と、払出制御基板８２からの情報とを受けて、第２始動口ＳＯＬ７２ｄ、大入賞口ＳＯＬ７４ｄ、図柄表示器７７ａ〜７７ｃ、図柄保留ランプ７７ｄ〜７７ｆを制御し、払出制御基板８２と演出制御基板８３とに制御情報（遊技情報）を出力する。払出制御基板８２のコンピュータは、遊技制御基板８１からの制御情報と、払出球検出ＳＷ８６ｂ、球有り検出ＳＷ８６ｃ、満タン検出ＳＷ８６ｄ、扉開閉検出ＳＷ８６ｅからの信号とを受けて、払出モータ８６ａを制御し、遊技制御基板８２に制御情報（払出情報）を出力する。
【００４８】
演出制御基板８３のコンピュータは、遊技制御基板８１、画像制御基板８４、ランプ制御基板８５からの制御情報と、演出ボタン装置５（ＳＷ３０ａ〜３３ａ，３４ａ、ボタン操作検出センサ４３）からの信号とを受けて、演出ボタン装置５（電動モータ６０）を制御し、画像制御基板８４、ランプ制御基板８５に制御情報を出力する。
【００４９】
画像制御基板８４のコンピュータは、演出制御基板８３からの制御情報を受けて、遊技演出用の画像表示器７６とスピーカ７８とを制御し、演出制御基板８３に制御情報を出力する。ランプ制御基板８５のコンピュータは、演出制御基板８３からの制御情報を受けて、主に画像制御基板８４のコンピュータによる制御に同期させて、遊技演出用の枠ランプ７９ａと盤ランプ７９ｂを制御する。
【００５０】
演出ボタン装置５（演出ボタンユニット１２）の作用（動作）について説明する。
図６〜図８に示すように、ボタンベース４０がベース進出位置あり、ボタン本体４１が進出位置にあるとき、ボタン本体４１（操作外側部材５２）が貯留皿４の上板４ａの上面よりも上方へ突出して、このボタン本体４１を進出位置から退入位置へ通常に押下操作可能になる。このとき、ボタン操作検出センサ４３は、発光部と受光部との間が被検出部５３ａで遮られＯＦＦになる。
【００５１】
ここで、進退駆動機構４４の電動モータ６０（ステッピングモータ６０）は駆動停止状態であり、その出力軸６０ａを外力により回転させる抵抗（負荷）は相当大きい。ボタン本体４１が押下操作されない状態でも、電動モータ６０には、ボタンベース４０、ボタン本体４１、ボタン付勢部材４２等の重力によりボタンベース４０が下降する方向へ出力軸６０ａを回転させる力が入力されるが、電動モータ６０の駆動停止状態における前記抵抗によって、ボタンベース４０は下降することなくベース進出位置に保持される。
【００５２】
図９に示すように、ボタンベース４０がベース進出位置に保持された状態で、ボタン本体４１が押下操作されると、ボタン本体４１（ボタン基部材５０）の脚部５０ｄや延設部５０ｆの下端部が装置ケース１０の第１ケース１５に上側から係合して、ボタン本体４１が退入位置になり、それ以上のボタン本体４１の押下操作が不可能になる。ボタン本体４１が退入位置のとき、その（操作外側部材５２の）上面と貯留皿４の上板４ａの上面とが略同一高さになる。ボタン本体４１が進出位置から退入位置へ操作されると、ボタン操作検出センサ４３は、発光部と受光部との間から被検出部５３ａが下方へ退いてＯＮになる。ボタン本体４１が操作解除されると、ボタン付勢部材４２により進出位置に復帰する。
【００５３】
ここで、ボタン本体４１が押下操作されると、その操作力はボタン本体４１から、ボタン付勢部材４２、ボタンベース４０を介して電動モータ６０に入力され、ボタンベース４０が下降する方向へ出力軸６０ａを回転させる力として作用する。このときも、電動モータ６０は駆動停止状態であるが、電動モータ６０の駆動停止状態における前記抵抗（負荷）によって、ボタンベース４０をベース進出位置に保持可能に構成されている。
【００５４】
進退駆動機構４４により、ボタンベース４０が、ボタン本体４１の通常の押下操作を可能にするベース進出位置（図６〜図９）と通常の押下操作を不可能にするベース退入位置（図１０〜図１２）とに亙って進退され切換えられる。ここで、ボタンベース４０のベース進出位置からベース退入位置への切換えは、通常はボタン本体４１が進出位置にあるときに実行されるが、退入位置にあるときでも実行可能である。また、ボタンベース４０のベース退入位置からベース進出位置への切換えは、通常はボタン本体４１が押下操作されない状態で実行されるが、押下操作された状態でも実行可能である。
【００５５】
図６〜図８に示すように、ボタン本体４１が進出位置にあるときに、進退駆動機構４４によりボタンベース４０がベース進出位置から下降移動されると、そのボタンベース４０と一体的にボタン本体４１も下降する。すると、図１０〜図１２に示すように、ボタン本体４１が押下操作された場合と同様、ボタン本体４１の脚部５０ｄや延設部５０ｆの下端部が第１ケース１５に上側から係合して、それ以上のボタン本体４１の下降が不可能になる。故に、ボタンベース４０の係止部４０ｅとボタン本体４１の爪部５０ｅとの係合により、ボタンベース４０の下降が不可能になり、そこでベース退入位置になる。
【００５６】
一方、図９に示すように、ボタン本体４１が退入位置にあるときに、進退駆動機構４４によりボタンベース４０がベース進出位置から下降移動されると、ボタン本体４１が静止した状態で、ボタンベース４０のみが下降する。すると、図１０〜図１２に示すように、ボタン本体４１に対するボタンベース４０の相対移動により、ボタン本体４１が退入位置から進出位置に切換えられ、ボタンベース４０の係止部４０ｅとボタン本体４１の爪部５０ｅとが係合すると、その係合により、ボタンベース４０の下降が不可能になり、そこでベース退入位置になる。
【００５７】
ボタン本体４１が押下操作されない状態で、進退駆動機構４４によりボタンベース４０がベース退入位置から上昇移動されると、そのボタンベース４０と一体的にボタン本体４１も上昇して、図６〜図８に示すように、ボタン本体４１が進出位置のままで、ボタンベース４０がベース進出位置になる。一方、ボタン本体４１が押下操作された状態で、進退駆動機構４４によりボタンベース４０がベース退入位置から上昇移動されると、ボタン本体４１が静止した状態で、ボタンベース４０のみが上昇する。すると、図９に示すように、ボタン本体４１に対するボタンベース４０の相対移動により、ボタン本体４１が進出位置から退入位置に切換えられ、ボタンベース４０がベース進出位置になる。
【００５８】
この演出ボタン装置５によれば次の効果を奏する。
ボタンベース４０、ボタンベース４０に対して進出位置と退入位置とに亙って進退自在に支持されたボタン本体４１、ボタン本体４１を進出位置へ付勢するボタン付勢部材４２、ボタン本体４１の進出位置から退入位置への押下操作を検出するボタン操作検出センサ４３、ボタンベース４０をボタン本体４１の通常の押下操作を可能にするベース進出位置と通常の押下操作を不可能にするベース退入位置とに亙って進退させる電動モータ６０を有する進退駆動機構４４を備えた。
【００５９】
つまり、進退駆動機構４４（電動モータ６０）を制御し、ボタンベース４０を進退させることで、このボタンベース４０に対して進退自在に支持されたボタン本体４１を通常に押下操作できる状態と通常に押下操作できない状態とに切換えることが可能になる。
【００６０】
具体的に、大当り抽選を演出する特定遊技演出の実行中、抽選結果を報知する前の所定期間にボタン本体４１が押下操作され、その押下操作がボタン操作検出センサ４３により検出された場合、その特定遊技演出の一部が他の演出（例えば、カットイン演出）に切換えられ、その演出によって大当り抽選の当選期待度が報知される。そして、前記所定期間にのみボタンベース４０をベース退入位置からベース進出位置に切換えて、ボタン本体４１の通常の押下操作を可能にすることができる。
【００６１】
更に、ボタンベース４０の進退に係る作動自体を遊技演出として利用することができる。具体的に、大当り抽選を演出する特定遊技演出の実行中の前記所定期間に、本来はボタンベース４０がベース進出位置にあるが、逆にボタンベース４０をベース退入位置に切換えて、ボタン本体４１の通常の押下操作を不可能にし、これにより、大当り抽選の当選期待度が高いことを報知するように構成することができる。
【００６２】
また、ボタンベース４０がベース進出位置にある状態で、特定遊技演出の実行中の前記所定期間に、ボタン本体４１が押下操作され、その押下操作がボタン操作検出センサ４３により検出された時に、進退駆動機構４４によりボタンベース４０ベース進出位置からベース退入位置に移動させて一定期間保持し、これにより、大当り抽選の当選期待度が高いことを報知するように構成することができる。
【００６３】
ボタン本体４１の押下操作を解除すると、通常は、ボタン本体４１は上昇し進出位置に復帰するが、その前にボタンベース４０をベース退入位置に切換えることにより、ボタン本体４１を上昇させない、即ち故障したかのようなフリーズ演出を行うことができ、更に、その際、画像表示器７６等においても、故障したかのようなフリーズ演出を行うことができ、この斬新なフリーズ演出によって、大当り抽選の当選期待度が高いことを報知するように構成することができる。即ち、演出効果を著しく高めることが可能になる。
【００６４】
しかも、ボタン操作検出センサ４３は、ボタン本体４１に設けられた被検出部５３ａを検出可能に、ボタンベース４０を進退自在に支持する装置ケース１０のスイッチ取付板１７に取付けられている。従って、ボタンベース４０がベース進出位置のとき、ボタン本体４１の押下操作により、仮にボタンベース４０がベース進出位置からベース退入位置の方へ移動したとしても、このボタン操作検出センサ４３によりボタン本体４１の押下操作を確実に検出することができる。特許文献２の技術では、ボタン操作検出センサはボタンベースと共に下降するため、ボタン本体の押下操作が検出されないという重大な問題が発生するが、本発明では、この課題を改善することができる。
【００６５】
このように、本発明の演出ボタン装置５では、ボタンベース４０を進退させることで、このボタンベース４０に対して進退自在に支持されたボタン本体４１を通常に押下操作できる状態と通常に押下操作できない状態とに切換え可能にし、ボタンベース４０がベース進出位置にあるときに、ボタン本体４１が押下操作されてもボタンベース４０をベース進出位置に確実に保持し、ボタン本体４１の安定した押下操作、及びその押下操作の確実な検出を実現することができる。
【実施例２】
【００６６】
図１５、図１６に示すように、実施例２の演出ボタン装置５Ａは、実施例１の演出ボタン装置５に、ボタンベース４０をベース進出位置に保持可能なベース保持部材９０を進退駆動機構４４とは別に備えたものである。ベース保持部材９０は、ボタンベース４０に設けられた被係合部９１に係合してボタンベース４０をベース進出位置に係止するストッパ部材９０からなり、このストッパ部材９０は、ボタンベース４０がベース進出位置のときに被係合部９１に係合し且つベース進出位置以外の位置のときに被係合部９１から係合解除するように進退駆動機構４４の電動モータ６０により駆動される。
【００６７】
ストッパ部材９０は、ボタンベース４０の進退方向（上下方向）と直交する前後方向向きのカム軸９０ａを介して電動モータ６０により回動駆動されるカムストッパ９０からなる。カム軸９０ａは装置ケース１０の第１ケース１５に回転自在に支持され、このカム軸９０ａにストッパ部材９０が外嵌固着されている。カム軸９０ａにはギヤ９３が外嵌固着され、このギヤ９３と進退駆動機構４４のピニオン６１とに噛合する中間ギヤ９２が設けられている。尚、中間ギヤ９２は第１ケース１５に回転自在に支持されている。
【００６８】
ボタンベース４０に設けられたラック６２の下端部が被係合部９１に形成され、この被係合部９１の真下にカム軸９０ａが位置している。ボタンベース４０がベース進出位置のとき、ストッパ部材９０の最大径部がボタンベース４０の被係合部９１に真下から係合し、故に、ボタンベース４０がベース進出位置にあるときに、ボタン本体４１の押下操作によりボタン本体４１からボタンベース４０にベース退入位置の方（下方）へ向く力が入力された場合でも、ストッパ部材９０が回動されることはなく、このストッパ部材９０によりボタンベース４０をベース進出位置により確実に保持することができる。
【００６９】
進出駆動機構４４によりボタンベース４０がベース進出位置からベース退入位置へ移動駆動されると、それに連動してストッパ部材９０が回動され、ボタンベース４０の被係合部９１から係合解除し、その後も、ストッパ部材９０はボタンベース４０（被係合部９１）と相互干渉しないようにしている。進出駆動機構４４によりボタンベース４０がベース退入位置からベース進出位置へ移動駆動されると、ストッパ部材９０が前記とは逆に回動され、最終的にボタンベース４０の被係合部９１に係合する。
【実施例３】
【００７０】
図１７に示すように、実施例３の演出ボタン装置５Ｂは、実施例１の演出ボタン装置５に、ボタンベース４０をベース進出位置に保持可能なベース保持部材９５を進退駆動機構４４とは別に備えたものである。ベース保持部材９５は、ボタンベース４０をベース進出位置（上方）へ付勢し且つボタン付勢部材４２の付勢力よりも大きい付勢力を有するコイルバネであるベース付勢部材９５からなる。
【００７１】
ベース付勢部材９５は、ボタンベース４０に設けられたラック６２の下端部とその下側の第１ケース１５との間に圧縮状態で装着されている。ボタンベース４０がベース進出位置にあるとき、ボタン本体４１が押下操作されると、ボタン付勢部材４２の付勢力よりもベース付勢部材９５の付勢力が大きいため、ボタンベース４０をベース進出位置により確実に保持することができる。
【００７２】
その他、本発明の趣旨を逸脱しない範囲において種々の変更を付加して実施可能である。また、本発明については、種々のパチンコ遊技機、或いは、パチンコ遊技機以外のスロットマシン等の種々の遊技機に適用することができる。
【符号の説明】
【００７３】
１  パチンコ遊技機
５，５Ａ，５Ｂ  演出ボタン装置
１０  装置ケース
４０  ボタンベース
４１  ボタン本体
４２  ボタン付勢部材
４３  ボタン操作検出センサ
４４  進退駆動機構
５３ａ  被検出部
６０  電動モータ
６１  ピニオン
６２  ラック
９０  ストッパ部材
９１  被係合部
９５  ベース付勢部材
【図１】
0005843346.tif 000002
【図２】
0005843346.tif 000003
【図３】
0005843346.tif 000004
【図４】
0005843346.tif 000005
【図５】
0005843346.tif 000006
【図６】
0005843346.tif 000007
【図７】
0005843346.tif 000008
【図８】
0005843346.tif 000009
【図９】
0005843346.tif 000010
【図１０】
0005843346.tif 000011
【図１１】
0005843346.tif 000012
【図１２】
0005843346.tif 000013
【図１３】
0005843346.tif 000014
【図１４】
0005843346.tif 000015
【図１５】
0005843346.tif 000016
【図１６】
0005843346.tif 000017
【図１７】
0005843346.tif 000018